(57)【特許請求の範囲】
【請求項１】
ハンドル操作に連動して回転支軸を中心として回転するロータの逆転を防止する逆転防止装置を備え、この逆転防止装置が、ロータの逆転を阻止するときに、釣糸案内部を介する釣糸の繰り出しに伴う衝撃力を緩和する魚釣用スピニングリールであって、
前記逆転防止装置は、前記ロータの円筒部の内周部にこの円筒部に対して所定角度回転可能に支持した逆転防止体と、前記ロータが逆転方向に回転したときに、この逆転防止体に係合してこの逆転防止体が逆転方向に移動するのを阻止する阻止部材と、前記逆転防止体とロータとの間に介在されてロータの逆転を阻止するときに逆転防止体に作用する衝撃力を吸収する弾発部材とで構成され、前記逆転防止体は、前記ロータの円筒状部に沿うリング状部とこのリング状部の端部から突出する係合突部とを有し、この逆転防止体の係合突部を、前記ロータと逆転防止体との間に介挿する保護用環状体に形成したドーム部内に、前記弾発部材と共に収容し、この弾発部材の付勢力でドーム部の端壁部に当接させ、保護用環状体と逆転防止体と弾発部材とで１つの組立用ユニットを形成することを特徴とする魚釣用スピニングリール。
【発明の詳細な説明】
【技術分野】
【０００１】
本発明は、ハンドル操作に連動回転するロータの逆転を防止する逆転防止装置を備えた魚釣用スピニングリールに関する。
【背景技術】
【０００２】
一般に、ハンドル操作に連動回転するロータの逆転を防止する逆転防止装置を備えた魚釣用スピニングリールは、ロータの逆転を防止した状態で釣糸を巻き取っているときに、例えばかかっている大きな魚の引きで、釣糸に急激に過大な引張力が加わって釣糸が切断したり、あるいは急激な衝撃力により逆転防止装置の係止部や支持部が破損してしまうことがある。
【０００３】
このような過大な引張作用が釣糸あるいは逆転防止機構に与えるショックを吸収するため、回転阻止手段の操作で回転を阻止される逆転防止部材としてラチェットをロータに対して回転可能に支持させ、これらのロータとラチェットとの間にショックアブソーバを設けたスピニングリールが知られている（例えば特許文献１参照）。
【特許文献１】特開昭６０−３０６３２号公報
【発明の開示】
【発明が解決しようとする課題】
【０００４】
しかし、この従来のスピニングリールは、スプール軸を挿通するピニオン軸あるいはロータを支持する筒状部の外周にラチェットを設け、このロータを支持する筒状部の外周に装着したコイル状スプリングの一端をロータで支持し、他端をラチェットで支持することでショックアブソーバを形成するため、作用するモーメントあるいはトルクの関係上、ロータ逆転時の大きな衝撃力を吸収することができない。
【０００５】
また、ロータの逆転防止時すなわちラチェットが回転阻止手段により回転を阻止され、かつショックアブソーバであるコイル状のスプリングが完全に締付けられたときに、ロータとラチェットとがコイル状のスプリングのそれぞれの端部を介して連結されるため、力を伝達する支持面積が極めて小さく、耐支持強度が不十分であり、耐久性に劣る。また、ラチェットとロータとの間に回転範囲を規制する規制手段を設けた場合であっても、この規制手段はショックアブソーバとは別個に、ラチェットの側面から突出させた突起にロータ側から突出させた突起を係合させるもので、力を伝達する支持面積が極めて小さく、十分な耐支持強度が得られず、耐久性に劣る。
【０００６】
本発明は、このような事情に基づいてなされたもので、ロータ逆転時の大きな衝撃力を吸収すると共に、長期間にわたって安定した衝撃吸収性能を得ることができる小型かつ軽量構造の逆転防止装置を備えた魚釣用スピニングリールを提供することを目的とする。
【課題を解決するための手段】
【０００７】
上記目的を達成する本発明の魚釣用スピニングリールは、ハンドル操作に連動して回転支軸を中心として回転するロータの逆転を防止する逆転防止装置を備え、この逆転防止装置が、ロータの逆転を阻止するときに、釣糸案内部を介する釣糸の繰り出しに伴う衝撃力を緩和する魚釣用スピニングリールであって、前記逆転防止装置は、前記ロータの円筒部の内周部にこの円筒部に対して所定角度回転可能に支持した逆転防止体と、前記ロータが逆転方向に回転したときに、この逆転防止体に係合してこの逆転防止体が逆転方向に移動するのを阻止する阻止部材と、前記逆転防止体とロータとの間に介在されてロータの逆転を阻止するときに逆転防止体に作用する衝撃力を吸収する弾発部材とで構成され、前記逆転防止体は、前記ロータの円筒状部に沿うリング状部とこのリング状部の端部から突出する係合突部とを有し、この逆転防止体の係合突部を、前記ロータと逆転防止体との間に介挿する保護用環状体に形成したドーム部内に、前記弾発部材と共に収容し、この弾発部材の付勢力でドーム部の端壁部に当接させ、保護用環状体と逆転防止体と弾発部材とで１つの組立用ユニットを形成することを特徴とする。
【発明の効果】
【０００８】
本発明による魚釣用スピニングリールは、阻止部材に係合する逆転防止体がロータの円筒部の内周部に所定角度回転可能に支持され、弾発部材で衝撃を吸収されることにより、この逆転防止体が回転支軸から径方向外方に大きく離間した位置で、ロータの逆転防止時の衝撃を吸収するため、弾発部材を強力な大型化あるいは重量化することなく、ロータ逆転防止時の大きな衝撃力を吸収することができると共に、逆転防止体を安定した状態で支持することができるため、長期間にわたって安定した衝撃吸収性能を得ることができ、更に、保護用環状体と逆転防止体と弾発部材とで１つの組立用ユニットを形成することにより、組付け作業が極めて簡単であり、ロータに対する逆転防止体および弾発部材の接触が防止され、耐久性を向上することができる。
【発明を実施するための最良の形態】
【０００９】
図１から図６は、本発明の好ましい実施形態による魚釣用スピニングリール１０を示す。  
図１に全体を示すように、本実施形態の魚釣用スピニングリール１０は、リール本体１２と、リール本体１２から延出するリール取付脚部１４とを有し、このリール取付脚部１４の端部には、図示しない釣竿に取り付けられる竿取付部１４ａが形成されている。リール本体１２内にはハンドル軸１６が図示しないボール軸受を介して回転可能に支持されており、このハンドル軸１６の端部にハンドル１８が取付けられている。このハンドル軸１６のリール本体１２内に配置される部位には、駆動機構２０の一部を形成するドライブギア２２を配置してある。
【００１０】
ドライブギア２２には、ハンドル軸１６に対して直交する方向に延在しかつ軸受２４ａ，２４ｂを介してリール本体１２の筒状突部１２ａ内に回転可能に支持されたピニオンギア２６が噛合している。このピニオンギア２６は、円筒状構造の回転軸筒２８の基端部に形成されており、ピニオンギア２６と反対側の先端部には、ロータ３０の回転支軸である軸筒部３２が回り止めされて装着され、ナット３４によりこの回転軸部２８に一体的に固定されている。このナット３４の締付力は、軸筒部３２から、スペーサ２３を間に配置した一対の軸受２４ａ，２４ｂを介してリール本体１２の筒状突部１２ａで支えられる。このロータ３０の基端部の径方向に対向した部位に、一対の腕部３６が突設されており、この腕部３６は、ロータ３０の基端部から先端側に向けて軸方向に延び、その先端部に、ベール３８が反転自在に取付けられている。このベール３８の一方の端部は、ハンドル１８側に設けられた釣糸案内部（図示しない）に取り付けられている。
【００１１】
また、このピニオンギア２６および回転軸筒２８内には、スプール軸４０が摺動可能に支持されており、上述のドライブギア２２およびピニオンギア２６を介してハンドル軸１６で作動される通常のオシレーティング機構４２により、軸方向に沿う一定のストロークで往復駆動することができる。このスプール軸４０の先端には、釣糸が巻回される巻回胴部４４ａとロータ３０が配置されるスカート部４４ｂとを有するスプール４４が着脱可能に取付けられ、スプール軸４０と共にこのハンドル軸１６と直交する方向に往復動することができる。
【００１２】
この魚釣用スピニングリール１０は、ハンドル１８を回転操作してハンドル軸１６を回転させると、オシレーティング機構４２およびスプール軸４０を介してスプール４４が前後に一定ストロークで往復動すると同時に、ドライブギア２２およびピニオンギア２６を介してロータ３０が回転する。これにより、ロータ３０と共に回転する釣糸案内部を介して、スプール４４の巻回胴部４４ａに釣糸が均等に巻回される。
【００１３】
図２から図６に拡大して示すように、本実施形態のロータ３０は、上述の軸筒部３２を囲む円筒部４６と、この軸筒部３２の先端部と円筒部４６の中間部とを連結するディスク状部４８とを有し、円筒部４６はリール本体１２側およびスプール４０側の双方の端部が軸方向外方に開口する。この円筒部４６は、リール本体１２側が軸筒部３２よりも突出してリール本体１２の筒状突部１２ａを囲み、スプール４４側が回転軸筒２８よりも突出してナット３４をこの内部に収容する。この円筒部４６はスプール４４のストローク長よりも長く形成してあり、スプール４４が往復動する際、スカート部４４ｂから円筒部４６の内部が露出することはない。
【００１４】
ロータ３０内には、図４に実線の矢印Ｒで示す逆転方向すなわち釣糸繰出し方向に回転するのを阻止する逆転防止装置５０が設けられている。本実施形態の逆転防止装置５０は、円筒部４６の内周に沿って所定角度回転可能に支持された環状構造の逆転防止体５２と、ロータ３０が逆転方向Ｒに回転したときに、この逆転防止体５２に係合してこの逆転防止体５２が逆転方向Ｒに移動するのを阻止する阻止部材５４と、逆転防止体５２とロータ３０との間に介在されてロータ３０の逆転を阻止するときに、このロータ３０が逆転防止体５２に与える衝撃力を吸収する弾発部材５６とで形成されている。
【００１５】
図２，図３，図５および図６に示すように、ロータ３０のディスク状部４８は、円筒部４６の内周面に沿って円弧状に延びる本実施形態では３つの切欠部４９が周方向に沿って同じ長さで半径方向および周方向に等間隔に形成されている。一方、このロータ３０に支持される逆転防止体５２は、円筒部４６の内周面に沿うリング状部５８と、互いに周方向に等間隔に離隔した位置でこのリング状部５８の端部からスプール４４側に突出する係合突部６０とを有し、この係合突部６０をリール本体１２側から切欠部４９内に突入させた状態で装着される。このロータ３０と逆転防止体５２との間には、例えば合成樹脂で形成された保護用環状体６２が介挿され、ロータ３０と逆転防止体５２および弾発部材５６との直接接触が防止されている。これにより、ロータ３０と逆転防止体５２および弾発部材５６との間の異種金属の接触による電食等の発生を防止することができ、更に、滑動性の向上を図ることもできる。
【００１６】
逆転防止体５２のリング状部５８は、径方向に厚肉に形成されてディスク状部４８で支えられる基部５８ａと、この基部５８ａに対して段部を形成すると共にその内周面に係止歯５９が形成される歯部５８ｂとを有し、この基部５８ａと歯部５８ｂとの間に形成される段部を介して、ディスク状部４８にネジ止めされた抜け止めプレート６４で、軸方向に移動不能でかつ回動可能に保持されている。
【００１７】
逆転防止体５２と共に抜け止めプレート６４で保持される保護用環状体６２は、リング状部５８とロータ３０の円筒部４６との間に介挿される周壁部６２ａと、リング状部５８の基部５８ａとロータ３０のディスク状部４８との間に介挿される平板部６２ｂと、それぞれがロータ３０の切欠部４９内に突入して逆転防止体５２のリング状部５８と共に上述の弾発部材５６の収容空間を規定するドーム部６２ｃとを有する。平板部６２ｂは、隣接するドーム部６２ｃ間で、リング状部５８の基部５８ａに重なる状態に配置されており、この基部５８ａを超えて半径方向内方に突出することはない。また、各ドーム部６２ｃは、切欠部４９の壁面に当接する２つの円弧状の周壁部６１ａおよび２つの平坦状の端壁部６１ｂ（図３および図５参照）のスプール４４側を頂壁部６１ｃ（図２および図５参照）で閉じかつリール本体１２側を開口させて上述の切欠部４９に対応した円弧状に延設され、この開口に臨む側壁部の端部には、切欠部４９の周縁部に沿ってディスク状部４８に当接する係止縁部６２ｄが形成されている。
【００１８】
これらの逆転防止体５２と保護用環状体６２とを、ロータ３０に装着する場合は、保護用環状体６２の各ドーム部６２ｃ内に、逆転防止体５２の係合突部６０と、本実施形態ではそれぞれ同一寸法の圧縮コイルバネで形成した弾発部材５６とを挿入し、この弾発部材５６の一端を逆転方向Ｒ(図４参照）の前方に位置する端壁部６１ｂで支えると共に、他端を係合突部６０の側面で支える。この弾発部材５６の付勢力により、逆転防止体５２は係合突部６０をドーム部６２ｃの他方の端壁部６１ｂに当接される。これにより、保護用環状体６２と逆転防止体５２と弾発部材５６とが１つの組立用ユニットを形成する。このユニットでは、各ドーム部６２ｃが保護用環状体６２の外周部に配置されていることにより、弾発部材５６および逆転防止体５２を組込む際に、最も広いスペースが確保され、しかも、コイルバネで形成された弾発部材５６を、周壁部６２ａに沿わせてドーム部６２ｃ内に装着することができるため、取付け作業が極めて簡単である。
【００１９】
このように逆転防止体５２と弾発部材５６とを保護用環状体６２に組込んでユニット構造とした後、各ドーム部６２ｃをディスク状部４８の切欠部４９内に挿入し、逆転防止体５２のリング状部５８の内周部に形成された段部を介して、抜け止めプレート６４でこのロータ３０に保持する。保護用環状体６２は、ドーム部６２ｃが切欠部４９に嵌合することにより、ロータ３０に対する回動を阻止され、平板部６２ｂがディスク状部４８とリング状部５８との間に挟持され、係止縁部６２ｄがディスク状部４８と抜け止めプレート６４との間に保持されることにより、軸方向移動を阻止される。これに対し、逆転防止体５２は、保護用環状体６２と抜け止めプレート６４との間で接触保持されているだけであるため、ドーム部６２ｃ内の係合突部６０が弾発部材５６を圧縮しつつロータ３０に対して回動することができる。なお、本実施形態では、図２および図６に示すように、逆転防止体５２の外周面に形成した環状溝５８ｃ内にＯリング状の摩擦部材６６（ゴム材）を配置し、逆転防止体５２と保護用環状体６２との間に、摩擦力を形成可能な構造に形成してある。
【００２０】
図２および図４に示すように、逆転防止体５２が逆転方向Ｒに回転するのを阻止する阻止部材５４は、歯部５８ｂに形成された係止歯５９に対向した部位で、基端部をリール本体１２の筒状突部１２ａの端面に設けられた支軸６８に回動自在に保持され、先端部の係止爪５４ａが逆転方向Ｒの後方に向けて、係止歯５９に係合する位置までレバー状に延びる。この阻止部材５４の中間位置から、作動ピン６９が突出し、フリクションプレート７０に形成された長孔７２内に挿入され、この長孔７２で案内されつつ移動することができる。
【００２１】
フリクションプレート７０は、Ｃ字状に形成された基部７４を軸筒部３２の周部に弾性的に摩擦係合させて保持されており、筒状突部１２ａから突出するストッパピン７６で、その移動範囲が規定されている。すなわち、ロータ３０が逆転方向Ｒに回転すると、その軸筒部３２および円筒部４６が逆転方向Ｒに移動し、フリクションプレート７０は、軸筒部３２と共に逆転方向Ｒに移動する。これにより、フリクションプレート７０は、長孔７２および作動ピン６９を介して阻止部材５４を移動し、係止爪５４ａを係止歯５９に係合させる。これにより、係止歯５９を形成した逆転防止体５２は、阻止部材５４を介してリール本体１２の筒状突部１２ａで逆転方向Ｒへの回転を阻止される。これとは逆に、ハンドル１８により、ロータ３０が図４に点線で示す正転方向Ｆ（釣糸巻取方向）に回転すると、フリクションプレート７０が軸筒部３２と共に時計方向に回転し、係止爪５４ａが係止歯５９から離隔する方向に阻止部材５４を回動した後、ストッパピン７６で係止される。これにより、阻止部材５４が図４に二点鎖線で示す位置に保持される。阻止部材５４と係止歯５９との係合が解除されることにより、ロータ３０は、阻止部材５４に阻害されること無く、正転方向Ｆに回転することができる。
【００２２】
この魚釣用スピニングリール１０には、図４に二点鎖線で示す位置に阻止部材５４を配置してロータ３０を正逆転可能とする状態と、実線で示す位置に阻止部材５４を配置して正転可能でかつ逆転不能の状態とに切換える切換カム７８が設けられており、この切換カム７８の切換操作を、図１に示すように、リール本体１２の後端壁部に設けた切換レバー８０を通じて行うことができる。切換レバー８０が逆転防止位置に配置されると、阻止部材５４は図４に実線で示す位置に配置される。また、この逆転防止位置から正逆転可能位置に切換えられると、切換カム７８により、阻止部材５４は二点鎖線で示す位置に配置され、ロータ３０は逆転方向Ｒおよび正転方向Ｆのいずれにも自由に回転することができる。
【００２３】
このように形成された逆転防止装置５０は、阻止部材５４が図４に実線で示す逆転防止位置にあるときに、例えば魚の引き等で、軸筒部３２を中心としてロータ３０を逆転方向Ｒに回転する力が急激に作用すると、この急激な力が一対の腕部３６（図１）を介してロータ３０に作用し、ロータ３０が逆転方向Ｒに回転し、釣糸を繰出す。このとき、ロータ３０に設けられた逆転防止装置５０は、逆転防止体５２が係止歯５９およびこれに係合する阻止部材５４によりリール本体１２に対する回動を阻止されているため、阻止部材５２に対してロータ３０および保護用環状体６２が逆転方向に回転し、弾発部材５６を係合突部６０との間で圧縮する。これにより、釣糸案内部を介する釣糸の繰り出しに伴う大きな衝撃力が緩和される。各弾発部材５６が完全に圧縮されると、この圧縮された弾発部材５６を介してロータ３０のディスク状部４８と逆転防止体５２の係合突部６０とが連結され、ロータ３０の逆転が阻止される。ロータ３０に作用する逆転方向Ｒの力が複数の弾発部材５６を介して、しかもディスク状部４８から複数の係合突部６０に作用するため、力を伝達する支持面積が極めて大きく、耐支持強度が極めて大きい。なお、このロータ３０は、摩擦部材６６と保護用環状体６２との間の摩擦力を超える大きさが作用したときに逆転方向Ｒへの回転するため、この摩擦部材６６と保護用環状体６２との間の摩擦力によっても、衝撃力が緩和される。
【００２４】
この魚釣用スピニングリール１０によると、阻止部材５４に係止歯５９を介して係合する逆転防止体５２がロータ３０の円筒部４６の内周部に所定角度回転可能に支持され、弾発部材５６で衝撃を吸収されることにより、この逆転防止体５２が軸筒部３２から径方向外方に大きく離間した位置で、ロータ３０の逆転時の衝撃を吸収するため、弾発部材５６を強力な大型化あるいは重量化することなく、ロータ３０の逆転時の大きな衝撃力を吸収することができる。更に、この逆転防止体５２を安定した状態で支持することができるため、長期間にわたって安定した衝撃吸収性能を得ることができる。
【００２５】
また、弾発部材５６をバネで形成し、これを逆転防止体５２とロータ３０との間で、周方向に作用する衝撃力を吸収する場合には、回転支軸である軸筒部３２から遠く離間すると共に大きな取付けスペースを確保することができ、弾発部材５６の組込みおよび分解等を容易かつ効率よく行うことができる。
【００２６】
更に、逆転防止体５２と弾発部材５６とを保護用環状体６２を介してロータ３０に装着することにより、これらの逆転防止体５２および弾発部材５６がロータ３０に接触して磨耗するのが防止され、、更に、このような異種金属の接触による電食が防止されることにより、耐久性を大きく向上することができる。
【００２７】
このような衝撃を吸収する弾発部材５６は、上述の実施形態におけるバネに代え、図７に示すような一対の磁石８６をドーム部６２ｃ内に配置してその同極同士の反発力を用いてもよく、また、図８に示すように、ブロック状のゴム部材９６で形成することもできる。
【００２８】
なお、上述の実施形態あるいは変形例では、３つのドーム部６２ｃを周方向に沿って等間隔に配置し、それぞれに弾発部材５６を配置したが、このようなドーム部６２ｃは２つあるいは４つ以上であってもよく、この場合には、ロータ３０のディスク状部４８にも対応する切欠部４９を形成する。
【図面の簡単な説明】
【００２９】
【図１】本発明の好ましい実施形態による魚釣用スピニングリールの一部を欠截した部分断面図。
【図２】図１の魚釣用リールのロータの内部の逆転防止装置の説明図。
【図３】図２のＩＩＩ−ＩＩＩ線に沿う断面図。
【図４】図２のＩＶ−ＩＶ線に沿う断面図。
【図５】図２の逆転防止装置の保護用環状部材に対する逆転防止体と弾発部材との配置状態を示す説明図。
【図６】図の部分拡大図。
【図７】変形例による逆転防止装置の図５と同様な説明図。
【図８】他の変形例による逆転防止装置の図５と同様な説明図。
【符号の説明】
【００３０】
１０…魚釣用スピニングリール、１２…リール本体、１８…ハンドル、３０…ロータ、３２…軸筒部、４６…円筒部、５０…逆転防止装置、５２…逆転防止体、５４…阻止部材、５６…弾発部材。
【図１】
0004474334.tif 000002
【図２】
0004474334.tif 000003
【図３】
0004474334.tif 000004
【図４】
0004474334.tif 000005
【図５】
0004474334.tif 000006
【図６】
0004474334.tif 000007
【図７】
0004474334.tif 000008
【図８】
0004474334.tif 000009